(57)【要約】【課題】着用感の低下を抑えることを可能としたテープ型使い捨ておむつを提供することを目的とする。【解決手段】前身頃１０Ｆと、後身頃１０Ｒと、前身頃１０Ｆと前記後身頃１０Ｒとを繋ぐ股下部１０Ｃとを備え、前身頃１０Ｆおよび後身頃１０Ｒが胴周り部１０Ｗを構成するように止着テープ１２によって結合されるテープ型使い捨ておむつ１０において、後身頃１０Ｒは、横方向の両端部から横方向に延出する止着テープ１２を備え、前身頃１０Ｆは、胴周り部１０Ｗを構成する部分に止着テープ１２が止着されるフロントパッチ１８を備え、前身頃１０Ｆにおける胴周り部１０Ｗを構成する部分には、横方向に延在される弾性部材２１を備え、弾性部材２１は、横方向においてフロントパッチ１８より長く形成されている。【選択図】図１
2019216796.tif 000002
【特許請求の範囲】
【請求項１】
前身頃と、後身頃と、前記前身頃と前記後身頃とを繋ぐ股下部とを備え、前記前身頃および前記後身頃が胴周り部を構成するように止着テープによって結合されるテープ型使い捨ておむつにおいて、
前記前身頃および前記後身頃のうちの一方の第１身頃における胴周り方向となる横方向の両端部から前記横方向に延出する前記止着テープと、
前記前身頃および前記後身頃のうちの他方の第２身頃における肌とは反対側の外面であって前記胴周り部を構成する部分に設けられ、前記止着テープが止着される止着部と、
前記第２身頃における前記胴周り部を構成する部分において、前記横方向に延在される弾性部材であって、前記横方向において前記止着部より長い前記弾性部材と
を備えるテープ型使い捨ておむつ。
【請求項２】
前記弾性部材は、前記止着部と重なる領域に配置されている
請求項１に記載のテープ型使い捨ておむつ。
【請求項３】
前記弾性部材は、さらに前記止着部と前記胴周り部を構成する開口端との間の領域に配置される
請求項２に記載のテープ型使い捨ておむつ。
【請求項４】
前記前身頃と前記後身頃に跨って配置される吸収体を備え、
前記弾性部材は、前記吸収体と重なる領域には配置されていない
請求項１ないし３のうち何れか１項に記載のテープ型使い捨ておむつ。
【請求項５】
前記第１身頃は、前記後身頃であり、
前記第２身頃は、前記前身頃であり、
前記止着部は、フロントパッチである
請求項１ないし４のうち何れか１項に記載のテープ型使い捨ておむつ。
【発明の詳細な説明】
【技術分野】
【０００１】
本発明は、テープ型使い捨ておむつに関する。
【背景技術】
【０００２】
吸収性物品としてのテープ型使い捨ておむつは、前身頃と、後身頃と、前身頃と後身頃とを繋ぐ股下部とを備え、前身頃および後身頃が胴周り部を構成するように止着テープによって結合される。止着テープは、後身頃の胴周り方向となる横方向における両端部に配置されている。そして、着用者に着用されるとき、前身頃の外面に配置されている止着部となるフロントパッチに止着される（特許文献１参照）。
【先行技術文献】
【特許文献】
【０００３】
【特許文献１】特開２００２−１４３２１５号公報
【発明の概要】
【発明が解決しようとする課題】
【０００４】
このようにテープ型使い捨ておむつは、後身頃の止着テープを前身頃のフロントパッチに止着するものであり、胴周りに隙間が生じないように強く締め付ける傾向にある。止着テープを強く締め過ぎたときには、着用感が低下することになる。
【０００５】
本発明は、着用感の向上を可能としたテープ型使い捨ておむつを提供することを目的とする。
【課題を解決するための手段】
【０００６】
上記課題を解決するためのテープ型使い捨ておむつは、前身頃と、後身頃と、前記前身頃と前記後身頃とを繋ぐ股下部とを備え、前記前身頃および前記後身頃が胴周り部を構成するように止着テープによって結合されるテープ型使い捨ておむつにおいて、前記前身頃および前記後身頃のうちの一方の第１身頃における胴周り方向となる横方向の両端部から前記横方向に延出する前記止着テープと、前記前身頃および前記後身頃のうちの他方の第２身頃における肌とは反対側の外面であって前記胴周り部を構成する部分に設けられ、前記止着テープが止着される止着部と、前記第２身頃における前記胴周り部を構成する部分において、前記横方向に延在される弾性部材であって、前記横方向において前記止着部より長い前記弾性部材とを備える。
【０００７】
上記構成によれば、第２身頃に、弾性部材が配置され、さらに弾性部材が止着部の横方向の長さより長くなっているので、伸縮する度合いが大きくなり、胴周りに対し追従し易くなり、止着テープの締め過ぎを抑えることができる。これにより、着用感を向上させることができる。
【０００８】
上記テープ型使い捨ておむつにおいて、前記弾性部材は、前記止着部と重なる領域に配置されているようにしてもよい。上記構成によれば、弾性部材が収縮することで止着部に皺が形成される。これにより、止着テープと止着部との結合力は、止着部に皺がない場合と比べて弱くなる。したがって、止着テープを止着部に対して止着し直す作業が容易となる。
【０００９】
上記テープ型使い捨ておむつにおいて、前記弾性部材は、さらに前記止着部と前記胴周り部を構成する開口端との間の領域に配置されるようにしてもよい。止着部と胴周り部を構成する開口端との間の領域は、止着部が存在しない分、柔軟な領域である。当該領域では、したがって、弾性部材も伸縮し易くなり、胴周りに追従し易くなる。
【００１０】
上記テープ型使い捨ておむつにおいて、前記前身頃と前記後身頃に跨って配置される吸収体を備え、前記弾性部材は、前記吸収体と重なる領域には配置されていないようにしてもよい。上記構成によれば、弾性部材の収縮により、吸収体の端部に皺が形成されにくくなる。したがって、吸収体と肌との密着性の低下を抑えることができる。
【００１１】
上記テープ型使い捨ておむつにおいて、例えば、前記第１身頃は、前記後身頃であり、前記第２身頃は、前記前身頃であり、前記止着部は、フロントパッチである。上記構成によれば、前身頃に、弾性部材が配置され、さらに弾性部材がフロントパッチの横方向の長さより長くなっているので、伸縮する度合いが大きくなり、腹部に対し追従し易くなり、止着テープを強く締めすぎることを抑えることができる。これにより、着用感を向上させることができる。
【発明の効果】
【００１２】
本発明によれば、着用感の向上を可能としたテープ型使い捨ておむつを提供することができる。
【図面の簡単な説明】
【００１３】
【図１】本発明を適用した第１実施形態のテープ型使い捨ておむつの斜視図。
【図２】本発明を適用した第１実施形態のテープ型使い捨ておむつの分解斜視図。
【図３】本発明を適用した第１実施形態のテープ型使い捨ておむつをカバーシートの側から見た平面図。
【図４】本発明を適用した第２実施形態のテープ型使い捨ておむつをカバーシートの側から見た平面図。
【図５】本発明を適用した第３実施形態のテープ型使い捨ておむつをカバーシートの側から見た平面図。
【発明を実施するための形態】
【００１４】
図１ないし図５を参照して本発明を具体化した一実施形態におけるテープ型使い捨ておむつについて説明する。
〔第１実施形態〕
図１に示すように、テープ型使い捨ておむつ１０（以下、単に「おむつ１０」という。）は、一例として、乳幼児用おむつである。おむつ１０は、人体の腹部形状に追従する形状を有する前身頃１０Ｆと、人体の背部形状に追従する形状を有する後身頃１０Ｒと、前身頃１０Ｆおよび後身頃１０Ｒを繋ぐ股下部１０Ｃとを備えている。
【００１５】
前身頃１０Ｆにおいて股下部１０Ｃと反対側は、人体の胴周りの部分を取り囲む胴周り部１０Ｗを構成し、上端に、胴周り開口部１０Ａを備えている。また、前身頃１０Ｆにおける横方向両端部、後身頃１０Ｒにおける横方向両端部、および、股下部１０Ｃにおける横方向両端部とは、人体の太股部分を取り囲む形状を有した左右一対の脚周り開口部１０Ｌを構成している。前身頃１０Ｆおよび後身頃１０Ｒの腹側胴周りを囲む部分は、胴周り部１０Ｗを構成する部分であり、当該部分の胴周り方向となる横方向の両端部は、サイドフラップ部１１となっている。後身頃１０Ｒのサイドフラップ部１１には、後身頃１０Ｒと前身頃１０Ｆを連結する止着テープ１２を備えている。サイドフラップ部１１は、胴周り寸法や脚周り寸法の標準的大きさの着用者だけでなく、胴周り寸法が標準より大きい着用者、および、胴周り寸法が標準より小さい着用者、ならびに、脚周り寸法が標準より大きい着用者、および、脚周り寸法が標準より小さい着用者にも対応できるようにするための調整代となる。
【００１６】
図２は、テープ型使い捨ておむつの展開状態を示す分解斜視図である。おむつ１０には、帯状の吸収性本体１３が前身頃１０Ｆ、股下部１０Ｃ、および、後身頃１０Ｒに跨るように設けられている。吸収性本体１３は、液不透過性を有したバックシート１４と、吸収体１５と、液透過性を有したトップシート１６とを備えている。おむつ１０において、トップシート１６は、着用者の皮膚と接する内側に配置され、バックシート１４は、外側に配置され、外側から、バックシート１４、吸収体１５、トップシート１６の順に重なっている。さらに、バックシート１４の外側には、手触り感を向上させるために、不織布で構成されたカバーシート１７が配置されている。後身頃１０Ｒにおいて、カバーシート１７には、胴周りに対して適度な着用感を付与するための弾性シート２０が配置されている。
【００１７】
吸収体１５を形成する材料は、例えば、フラッフパルプ、高吸収性ポリマー（ＳＡＰ：Superabsorbent polymer）、親水性シートなどの吸収性材料である。そして、吸収体１５は、一例として、親水性シートで構成されるコアラップによって包まれ、バックシート１４とトップシート１６との間に配置される。吸収体１５の股下部１０Ｃに相当する部分には、両側に脚部の逃げとなる切欠部１５Ａが設けられている。したがって、吸収体１５は、股下部１０Ｃに相当する部分が最も幅狭となっている。
【００１８】
バックシート１４は、吸収体１５よりも若干大きく形成されている。バックシート１４は、例えば、液不透過性を有したポリエチレン樹脂製のフィルムで形成されている。また、バックシート１４は、通気性を確保するため、微細孔が多数形成されている。
【００１９】
トップシート１６は、肌と接するシートであり、肌に対して低刺激性の材料で形成されている。例えば、トップシート１６は、織布、不織布、多孔性フィルムなどで形成されている。また、トップシート１６には、例えば、ポリプロピレン、ポリエチレン、ポリエステル、ナイロンのような熱可塑性樹脂の繊維であって親水化処理が施された繊維から構成される不織布が用いられることが好ましい。また、カバーシート１７やサイドシート１９にあっても、例えばトップシート１６と同様な材料で形成されている。
【００２０】
吸収性本体１３には、前後方向に沿う両端部に立体ギャザーが配置されている。立体ギャザーは、トップシート１６の前後方向に沿う両端部に配置されたサイドシート１９と、サイドシート１９にその縦方向に沿って配置された弾性部材１９Ａとを備えている。サイドシート１９は、例えば、ポリプロピレン、ポリエチレン、ポリエステル、ナイロンのような熱可塑性樹脂の繊維から構成される不織布であって、疎水性シートである。弾性部材１９Ａは、天然ゴム、合成ゴム、ウレタンなどから選ばれる１つ以上の材料により形成された弾性体であり、糸状または紐状に形成されている。立体ギャザーは、弾性部材１９Ａが収縮した際に、サイドシート１９が着用者の皮膚当接方向に向かって立ち上がり、脚周り開口部１０Ｌの周囲に位置する。
【００２１】
サイドフラップ部１１は、胴周り部分に位置するカバーシート１７とサイドシート１９とが重ね合わされることにより構成されている。また、サイドフラップ部１１には、バックシート１４の一部、トップシート１６の一部、および、吸収体１５の横方向における両端部の一部も含まれている。なお、左右一対の脚周り開口部１０Ｌを構成する部分にも、弾性部材１９Ｂが配置され、レグギャザーが構成されている。弾性部材１９Ｂも、弾性部材１９Ａと同様に、糸状または紐状に形成されている。弾性部材１９Ｂは、縦方向に沿って配置されており、カバーシート１７とサイドシート１９によって挟まれている。レグギャザーは、弾性部材１９Ｂが収縮することで、弾性部材１９Ｂを挟み込んでいるシートが脚周り開口部１０Ｌの周囲において皮膚当接方向に向かって立ち上がる。
【００２２】
カバーシート１７は、例えば、ポリプロピレン、ポリエチレン、ポリエステル、ナイロンのような熱可塑性樹脂の繊維から構成される不織布などであり、疎水シート又は疎水シートに親水化処理が施されたシートである。カバーシート１７の前身頃１０Ｆの肌とは反対側となる外面であって、胴周り部１０Ｗを構成する部分には、止着テープ１２が止着される止着部としてのフロントパッチ１８が設けられている。フロントパッチ１８は、止着テープ１２のフック部１２Ｃを繰り返し止着しても、カバーシート１７などと比べて毛羽立ちにくく形成されている。このようなフロントパッチ１８の横方向の長さは、バックシート１４の横方向の長さと同程度である。なお、フロントパッチ１８の横方向の長さは、バックシート１４の横方向の長さより長くてもよいし、短くてもよい。
【００２３】
図３に示すように、後身頃１０Ｒにおける左右両端部に位置するサイドフラップ部１１は、その横方向の端部に縦方向に直線状に延びる先端１１Ａを備えている。各先端１１Ａからは、外側に延出して止着テープ１２が配設されている。止着テープ１２は、基端部に構成される固定部１２Ａと、固定部１２Ａに連続して設けられる延出部１２Ｂと、延出部１２Ｂに設けられるフック部１２Ｃとを備えている。
【００２４】
固定部１２Ａは、ホットメルト接着剤などの接着手段によって、サイドフラップ部１１を構成するカバーシート１７の内面とサイドシート１９の内面とに挟持された状態で固定される。延出部１２Ｂは、先端１１Ａより横方向に延出した部分である。延出部１２Ｂは、縦方向に直線状に延びる先端１１Ａの中程から延出している。フック部１２Ｃは、延出部１２Ｂに設けられている。フック部１２Ｃの一方の面は、多数のフックが設けられたフック面である。なお、フック面には、長さ方向における先端部に、フックが設けられていない非フック領域が設けられている。フック部１２Ｃは、フロントパッチ１８に止着される。
【００２５】
以上のように構成された止着テープ１２は、先端１１Ａから延出した延出部１２Ｂとフック部１２Ｃの部分が横方向における中央を通り縦方向に延びる縦方向中央線２２の方向に向かって、サイドシート１９上に折り畳まれる（図３二点鎖線の状態参照）。
【００２６】
図３に示すように、前身頃１０Ｆには、横方向に弾性部材２１が配設されている。弾性部材２１は、弾性部材１９Ａ，１９Ｂと同様に糸状または紐状に形成されている。弾性部材２１は、複数本がフロントパッチ１８の部分に重なるように互いに平行に縦方向に並べて配置される。具体的には、弾性部材２１の横方向の長さＬ１は、フロントパッチ１８の横方向の長さＬ２より長くなっている。すなわち、弾性部材２１は、横方向において、フロントパッチ１８の両側からはみ出している。弾性部材２１は、例えば先端１１Ａまで延びていてもよい。また、弾性部材２１が配置される領域の縦方向の長さＬ３は、フロントパッチ１８の縦方向の長さと一致する。また、フロントパッチ１８は、吸収体１５の前端部と重なっていない。すなわち、弾性部材２１は、吸収体１５の前端部１５Ｂとは重なっておらず、吸収体１５の前端部１５Ｂに皺が形成されないようにしている。弾性部材２１は、カバーシート１７の内面に対して伸張され接着剤が塗布された状態で配置され、その後、バックシート１４、トップシート１６、サイドシート１９により挟み込まれる。また、弾性部材２１は、接着剤が塗布されたカバーシート１７の内面に対して伸張された状態で配置され、その後、バックシート１４、トップシート１６、サイドシート１９により挟み込まれる。
【００２７】
以上のように構成されたおむつ１０の作用について説明する。
おむつ１０を使用するときには、前身頃１０Ｆと後身頃１０Ｒとを開いた状態とされる。そして、着用者の臀部を持ち上げ、トップシート１６を上側にして、後身頃１０Ｒを臀部の下側に敷き、着用者の股下に股下部１０Ｃをあてがい、前身頃を着用者の腹部に位置させる。その後、後身頃１０Ｒのサイドフラップ部１１は、前身頃１０Ｆのサイドフラップ部１１の上に重なるように位置される。この後、展開された止着テープ１２は、フック部１２Ｃのフック面が前身頃１０Ｆのフロントパッチ１８に止着され、前身頃１０Ｆと後身頃１０Ｒとが結合される。この際、前身頃１０Ｆは、弾性部材２１が配置されていることで、横方向に適度に伸張され、この状態で、止着テープ１２がフロントパッチ１８に止着される。
【００２８】
以上のような上記第１実施形態のおむつ１０によれば以下に列挙する効果を得ることができる。
（１−１）前身頃１０Ｆにも、弾性部材２１が配置され、さらに弾性部材２１がフロントパッチ１８の横方向の長さより長くなっているので、伸縮する度合いが大きくなり、腹部に対し追従し易くなり、止着テープ１２の締め過ぎを抑えることができる。これにより、着用感を向上させることができる。特に、弾性部材２１がフロントパッチ１８の横方向の両側よりはみ出した部分では、フロントパッチ１８が存在しない分、柔軟になって、弾性部材２１も伸縮し易くなり、胴周りに追従し易くなる。
【００２９】
（１−２）弾性部材２１が収縮することで前身頃１０Ｆの胴周り部を構成する部分に皺が形成される。おむつ１０は、弾性部材２１の収縮によって形成された皺が通気路となり、通気性が向上される。
【００３０】
（１−３）弾性部材２１が収縮することでフロントパッチ１８に皺が形成される。これにより、フック部１２Ｃとフロントパッチ１８との結合力は、フロントパッチ１８に皺がない場合と比べて弱くなる。したがって、フック部１２Ｃをフロントパッチ１８に対して止着し直す作業が容易となる。
【００３１】
（１−４）吸収体１５の前端部１５Ｂは、弾性部材２１と重なっておらず、皺が形成されない。したがって、前端部１５Ｂは、着用者の肌とのフィット性が向上し、排泄物を吸収し易くなる。
【００３２】
〔第２実施形態〕
図４に示すように、第２実施形態のおむつ１０は、吸収体１５の前端部１５Ｂがフロントパッチ１８と重なるように構成されており、吸収体１５が第１実施形態より大きくなっている。この場合にも、弾性部材２１は、フロントパッチ１８と重なる領域に配置されている。
【００３３】
さらに、弾性部材２１は、フロントパッチ１８の上側であって胴周り開口部１０Ａを構成する開口端２３との間にも配置される。この場合には、弾性部材２１の効果を発現するだけの数を配置するために、当該領域における縦方向の長さを大きくすることもできる。これにより、着用時、胴周り開口部１０Ａにおいて、前身頃１０Ｆの開口端が後身頃１０Ｒ側の開口端よりも上側に位置するようになってもよい。
【００３４】
弾性部材２１の横方向の長さは、フロントパッチ１８と重なる領域も、フロントパッチ１８と重ならないフロントパッチ１８と開口端２３との間の領域も同じである。さらに、弾性部材２１は、吸収体１５の前端部１５Ｂと重なる部分には配置されていない。前端部１５Ｂにおける弾性部材２１が配置されていない部分は、当該部分において、弾性部材２１を切断し収縮させることで設けることができる。
【００３５】
以上のような上記第２実施形態のおむつ１０によれば以下に列挙する作用効果を得ることができる。
（２−１）吸収体１５の前端部１５Ｂは、フロントパッチ１８の部分にまで延在し、大型化しているので排泄物などをしっかりと吸収することができる。
【００３６】
（２−２）弾性部材２１は、フロントパッチ１８と重なる部分であって吸収体１５の前端部１５Ｂと重なる部分には配置されていない。したがって、弾性部材２１が収縮することに伴って、吸収体１５の前端部１５Ｂに皺が形成されて、肌と密着しない部分が形成されることによる、吸収力の低下を抑えることができる。
【００３７】
（２−３）弾性部材２１がフロントパッチ１８とのみ重なる部分では、弾性部材２１が収縮することでフロントパッチ１８に皺が形成される。これにより、フック部１２Ｃとフロントパッチ１８との結合力は、フロントパッチ１８に皺がない場合と比べて弱くなる。したがって、フック部１２Ｃをフロントパッチ１８に対して止着し直す作業が容易となる。
【００３８】
（２−４）弾性部材２１は、フロントパッチ１８の上側であって胴周り開口部１０Ａを構成する開口端２３とフロントパッチ１８との間にも配置される。当該領域は、フロントパッチ１８が存在しない分、柔軟な領域である。したがって、弾性部材２１も伸縮し易くなり、胴周りに追従し易くなる。なお、弾性部材２１がフロントパッチ１８の横方向の両側よりはみ出した部分では、フロントパッチ１８が存在しない分、柔軟になって、弾性部材２１も伸縮し易くなり、胴周りに追従し易くなる。
【００３９】
〔第３実施形態〕
図５に示すように、第３実施形態のおむつ１０は、第２実施形態の変形例であって、弾性部材２１がフロントパッチ１８の上側であって胴周り開口部１０Ａを構成する開口端２３とフロントパッチ１８との間だけに配置されている。この場合には、弾性部材２１を効果を発現するだけの数を配置するために、当該領域における縦方向の長さを大きくすることもできる。
【００４０】
以上、上記第３実施形態のおむつ１０によれば以下に列挙する作用効果を得ることができる。
（３−１）弾性部材２１は、フロントパッチ１８の上側であって胴周り開口部１０Ａを構成する開口端２３とフロントパッチ１８との間だけに配置される。当該領域は、フロントパッチ１８が存在しない分、柔軟な領域である。したがって、弾性部材２１も伸縮し易くなり、胴周りに追従し易くなる。なお、弾性部材２１がフロントパッチ１８の横方向の両側よりはみ出した部分では、フロントパッチ１８が存在しない分、柔軟になって、弾性部材２１も伸縮し易くなり、胴周りに追従し易くなる。
【００４１】
（３−２）フロントパッチ１８は、弾性部材２１が重なるように配置されていないので、フック部１２Ｃとの結合力が低下しなくなる。したがって、止着テープ１２がフロントパッチ１８に対して止着位置がずれにくくなり、また、外れにくくなる。
【００４２】
なお、上記実施形態は以下のように適宜変更して実施することもできる。
・弾性部材２１は、フロントパッチ１８と重なる領域に加えて、フロントパッチ１８の股下部１０Ｃ側にも配置するようにしてもよい。この場合、弾性部材２１と吸収体１５の前端部１５Ｂとが重なる領域が生じることがある。このような場合、吸収体１５の前端部１５Ｂに重なる領域に位置する弾性部材２１を切断し収縮させることで、弾性部材２１と吸収体１５の前端部１５Ｂとが重ならないように弾性部材２１を配置することができる。なお、弾性部材２１は、フロントパッチ１８の股下部１０Ｃ側だけに設けるようにしてもよい。
【００４３】
・止着テープ１２は、前身頃１０Ｆのサイドフラップ部１１に設け、フロントパッチ１８に代わる止着部を後身頃１０Ｒに設けるようにしてもよい。
・弾性部材２１は、糸状または紐状ではなく、弾性シート２０のようなシート状のものであってもよい。
【００４４】
・おむつ１０としては、大人用おむつであってもよい。また、ペット用おむつであってもよい。
【符号の説明】
【００４５】
１０Ａ…胴周り開口部、１０Ｃ…股下部、１０Ｆ…前身頃、１０Ｌ…脚周り開口部、１０Ｒ…後身頃、１０Ｗ…胴周り部、１１…サイドフラップ部、１１Ａ…先端、１２…止着テープ、１２Ａ…固定部、１２Ｂ…延出部、１２Ｃ…フック部、１３…吸収性本体、１４…バックシート、１５…吸収体、１５Ａ…切欠部、１５Ｂ…前端部、１６…トップシート、１７…カバーシート、１８…フロントパッチ、１９…サイドシート、１９Ａ…弾性部材、１９Ｂ…弾性部材、２０…弾性シート、２１…弾性部材、２２…縦方向中央線、２３…開口端。
【図１】
2019216796.tif 000003
【図２】
2019216796.tif 000004
【図３】
2019216796.tif 000005
【図４】
2019216796.tif 000006
【図５】
2019216796.tif 000007